(57)【特許請求の範囲】
【請求項１】
肘掛けを取付可能且つ肘掛けを外した状態でスタッキング可能な脚フレーム構造を有する椅子であって、前記脚フレームが下方へ向かって互いの間隔が拡がる前脚杆と後脚杆とを有するとともに、前脚杆と後脚杆の間であって前脚杆又は後脚杆の上端部に肘取付部材を固定したものであり、該肘取付部材に嵌着した合成樹脂又は合成ゴム製のカバー部材の一部に形成したバンパー部にて前脚杆又は後脚杆を抱持してなることを特徴とする椅子のスタッキングバンパー兼肘取付部カバー。
【請求項２】
前記肘取付部材が、内外へ貫通した開口を有する取付板と、両側の取付板の開口に連続して内面側に固着した連結パイプとから構成され、前記カバー部材が前記開口及び連結パイプ内に嵌入する挿入部と前脚杆又は後脚杆を抱持する断面略Ｃ字形のバンパー部とを有する請求項１記載の椅子のスタッキングバンパー兼肘取付部カバー。
【請求項３】
前記カバー部材で覆われない肘取付部材の周縁部に、該カバー部材とは独立して化粧カバー部材を嵌着してなる請求項１又は２記載の椅子のスタッキングバンパー兼肘取付部カバー。
【発明の詳細な説明】
【０００１】
【発明の属する技術分野】
本発明は、椅子のスタッキングバンパー兼肘取付部カバーに係わり、更に詳しくは肘掛けを取付可能且つ肘掛けを外した状態でスタッキング可能な脚フレーム構造を有する椅子において、肘掛けを外した状態の肘取付部材に嵌着するカバーにスタッキングする際のバンパー機能を持たせた椅子のスタッキングバンパー兼肘取付部カバーに関する。
【０００２】
【従来の技術】
従来、肘付き椅子及び肘なし椅子に共通して使用できる脚フレーム構造を有する椅子は、製造コスト低減化の要請及び肘付きと肘なしの仕様変更を容易にできるといった利点等の理由によって採用されている。一方、肘なし椅子の場合には、保管スペースを考慮してスタッキング可能な脚フレーム構造を採用することが一般的になっている。
【０００３】
そこで、肘掛けを取付可能且つ肘掛けを外した状態でスタッキング可能な脚フレーム構造を有する椅子も提供されるに至ったが、従来は肘掛けを外した場合に肘取付部材を隠蔽するカバー部材を設けるとともに、スタッキング時の上下の脚フレーム間に介在させるバンパー部材を別々に設けていた。
【０００４】
しかし、肘掛けを取付ける場合には、スタッキングできないので、バンパー部材は不要であるにも係わらず、脚フレームにバンパー部材を取付けたままであった。尚、スタッキング時にのみバンパー部材を脚フレームに取付けることも考慮されるが、バンパー部材の部品の管理が面倒である。
【０００５】
【発明が解決しようとする課題】
本発明が前述の状況に鑑み、解決しようとするところは、肘掛けを取付可能且つ肘掛けを外した状態でスタッキング可能な脚フレーム構造を有する椅子において、肘掛けを外した状態の肘取付部材に嵌着するカバー部材に、スタッキングする際のバンパー機能を持たせ、部品点数の減少とコスト低減を図るとともに、肘掛けを外した状態での外観性の向上とスタッキング時の脚フレームの傷付き防止を図り、一方、肘掛けを取付ける場合には、バンパー機能を有するカバー部材を容易に取外すことが可能な椅子のスタッキングバンパー兼肘取付部カバーを提供する点にある。
【０００６】
【課題を解決するための手段】
本発明は、前述の課題解決のために、肘掛けを取付可能且つ肘掛けを外した状態でスタッキング可能な脚フレーム構造を有する椅子であって、前記脚フレームが下方へ向かって互いの間隔が拡がる前脚杆と後脚杆とを有するとともに、前脚杆と後脚杆の間であって前脚杆又は後脚杆の上端部に肘取付部材を固定したものであり、該肘取付部材に嵌着した合成樹脂又は合成ゴム製のカバー部材の一部に形成したバンパー部にて前脚杆又は後脚杆を抱持してなる椅子のスタッキングバンパー兼肘取付部カバーを構成した。
【０００７】
また、前記肘取付部材が、内外へ貫通した開口を有する取付板と、両側の取付板の開口に連続して内面側に固着した連結パイプとから構成され、前記カバー部材が前記開口及び連結パイプ内に嵌入する挿入部と前脚杆又は後脚杆を抱持する断面略Ｃ字形のバンパー部とを有する構成となした。
【０００８】
更に、前記カバー部材で覆われない肘取付部材の周縁部に、該カバー部材とは独立して化粧カバー部材を嵌着してなることがより好ましい。この化粧カバー部材は、カバー部材を取外して肘掛けを肘取付部材に取付けた場合にも、肘取付部材を外被するのである。
【０００９】
【発明の実施の形態】
次に本発明の実施形態を添付図面に基づき更に詳細に説明する。図１は肘掛けを外した状態の椅子を示し、図２はスタッキング状態を示し、図３〜図６は本発明の要部を示し、図中１は脚フレーム、２は座部、３は背凭れ部、４は肘取付部材、５はカバー部材、６は化粧カバー部材をそれぞれ示している。
【００１０】
本発明に係る椅子は、左右一対の脚フレーム１，１の上部に座部２を前後スライド可能に設けるとともに、背凭れ部３を座部２と連動して上下スライド可能に設けた構造、いわゆる「バーテブラ」タイプの椅子である。尚、前記座部２と背凭れ部３との間には胴部７を介在させ、座部２と背凭れ部３とともに連動して円弧に沿って移動するものを示している。
【００１１】
本発明は、肘掛けを取付可能且つ肘掛けを外した状態でスタッキング可能な脚フレーム構造を有する椅子であって、前記脚フレーム１，１が下方へ向かって互いの間隔が拡がる前脚杆８と後脚杆９とを有するとともに、前脚杆８と後脚杆９の間であって前脚杆８又は後脚杆９の上端部に肘取付部材４を固定したものであり、該肘取付部材４に嵌着した合成樹脂又は合成ゴム製のカバー部材５の一部に形成したバンパー部１０にて前脚杆８又は後脚杆９を抱持してなることを要旨としている。
【００１２】
更に詳しくは、前記脚フレーム１は、前脚杆８が略垂直であり、後脚杆９が下方へ行くに従って後方へ傾斜し、前脚杆８は後脚杆９の上端部は上杆１１で連続している。即ち、前記前脚杆８、後脚杆９及び上杆１１は、１本の丸パイプ部材を屈曲して形成したものである。そして、前記前脚杆８と後脚杆９の下端間には、それぞれ合成樹脂製のコーナー部材１２，１３を介して下杆１４が連結され、本実施形態の脚フレーム１は閉じた環状フレームとなっている。また、左右一対の脚フレーム１，１は、上部において後部が後述の連結パイプで連結され、前部が連結杆１５で連結されている。
【００１３】
前記肘取付部材４は、前記脚フレーム１の後脚杆９と上杆１１のコーナー部に側面視略菱形の取付板１６を溶着し、該取付板１６には後脚杆９寄り位置に内外へ貫通した開口１７を形成し、そして図６に示すように両側の取付板１６，１６の開口１７，１７に連続して内面側に固着した連結パイプ１８とから構成されている。また、前記取付板１６には、後述の肘掛けを固定するための螺孔１９，１９と、化粧カバー部材６を嵌着するための通孔２０，２０とを形成している。
【００１４】
前記カバー部材５は、前記脚フレーム１に接触しても塗装が剥がれないような素材、即ち合成樹脂又は合成ゴム製で一体成形したものであり、前記開口１７及び連結パイプ１８内に嵌入する十文字状の挿入部２１と後脚杆９を抱持する断面略Ｃ字形のバンパー部１０とを有している。また、前記カバー部材５の前記挿入部２１の周囲には、前記開口１７の口縁を外覆する鍔部２２を形成するとともに、該鍔部２２から断面略Ｔ字形の保高部２３を延設し、該保高部２３の端部に化粧板２４を形成し、そして前記バンパー部１０は該化粧板２４に延設している。尚、前記バンパー部１０は、前記化粧板２４から後脚杆９の直線部分に延びているので、前記開口１７と後脚杆９の直線部分の関係によって化粧板２４とバンパー部１０との連結部分の形状は設定すべきであり、本実施形態では側面視クランク状に折れ曲がった形状となっている。図６に示すように、このカバー部材５は、前記取付板１６の開口１７及び連結パイプ１８の端部に前記挿入部２１を嵌入し且つバンパー部１０を後脚杆９の上部に外嵌して取付ける。
【００１５】
前記化粧カバー部材６は、前記取付板１６及び後脚杆９にカバー部材５を取付けた状態で、前記カバー部材５の化粧板２４によって外覆されない取付板１６の他の周縁部を覆うものである。そして、該化粧カバー部材６は、前記取付板１６の形状に応じた略菱形の表面板２５に、前記カバー部材５の保高部２３を受入れる切欠部２６を形成するとともに、周縁部に背面側へ延びた縁板２７を形成し且つ縁板２７の内方に該縁板２７よりも低い補強リブ２８を形成し、更に表面板２５の背面に前記通孔２０，２０に嵌入する突起２９，２９を形成するとともに、下縁側の前記縁板２７の先端一部に前記取付板１６の下端裏面に係止する係止片３０を内向きに突設したものである。そして、この化粧カバー部材６を取付板１６に取付けるには、前記切欠部２６の開放側から前記カバー部材５の保高部２３を受入れながら前記突起２９，２９を取付板１６の通孔２０，２０に嵌入すると同時に係止片３０を取付板１６の下縁に係止する。この状態で、化粧カバー部材６の縁板２７によって取付板１６の外周縁を嵌合するとともに、補強リブ２８が取付板１６の表面に当接し、前記表面板２５の切欠部２６の周囲にカバー部材５の化粧板２４の周囲が重なった状態となる（図６参照）。
【００１６】
また、前記脚フレーム１のコーナー部材１２は、図７及び図８に示すように、本体部３１の一端に前記前脚杆８に嵌入する嵌合部３２を形成するとともに、他端に前記下杆１４の前端部に嵌入する嵌合部３３を前記嵌合部３２よりも外側に偏心した位置に形成し、更に前記嵌合部３３の近傍の本体部３１に他の脚フレーム１の前脚杆８の前面部に当止する当止部３４を形成している。一方、前記コーナー部材１３も同様に、本体部３５の一端に前記後脚杆９に嵌入する嵌合部３６を形成するとともに、他端に前記下杆１４の後端部に嵌入する嵌合部３７を前記嵌合部３６よりも外側に偏心した位置に形成し、更に前記本体部３５には他の脚フレーム１の後脚杆９の後面部、若しくは上面部に当止する当止部３８を形成している。
【００１７】
従って、複数の椅子を上下にスタッキングした場合に、下方の椅子の脚フレーム１に取付けたカバー部材５のバンパー部１０に上方の椅子の後脚杆９が当止するとともに、上方の椅子のコーナー部材１２，１３の各当止部３４，３８が下方の椅子の前脚杆８及び後脚杆９にそれぞれ当止し、脚フレーム１の塗装に傷を付けないようになっている。
【００１８】
また、図９及び図１０に示したものは、他の構造の椅子に適用した本発明の第２実施形態を示している。本実施形態の椅子は、脚フレーム１は前記同様であるが、座部２が上下傾動するとともに、該座部２の後部に立上り部２Ａを有し、その上方に背凭れ部３が傾動可能に設けた構造、いわゆる「ドーサル」タイプの椅子を示している。前記脚フレーム１の基本構造は前記同様であるが、前記後脚杆９と上杆１１との角度関係、即ち後脚杆９の直線部分の位置が前述の例と若干異なるため、それに応じてカバー部材５のバンパー部１０の形状を変更したものである。つまり、カバー部材５において、化粧板２４から直線状にバンパー部１０を延設している。その他の構成は前記同様であるので、同一構成には同一符号を付してその説明は省略する。
【００１９】
また、図１１及び図１２に示したものは、前述の第２実施形態において、脚フレーム１の構造が異なる第３実施形態を示している。即ち、本実施形態の脚フレーム１は、前記下杆１４が存在せず、前記前脚杆８と後脚杆９の下端に合成樹脂製のキャップ３９，４０を嵌着し、スタッキングした場合に該キャップ３９，４０が下方の椅子の前脚杆８及び後脚杆９に当止するようになっている。その他の構成は前記同様であるので、同一構成には同一符号を付してその説明は省略する。
【００２０】
最後に、前記カバー部材５を外して、前記肘取付部材４に肘掛け４１を取付ける場合を説明する。前記肘掛け４１は、肘掛け部４２から下方へ屈曲して延びた支持杆４３の先端部４３Ａを余して固定板４４を固着したものであり、前記先端部４３Ａを前記取付板１６の開口１７及び連結パイプ１８の端部に嵌入するとともに、前記固定板４４を取付板１６に螺孔１９，１９を利用してネジ４５，４５にて固定する。そして、前記取付板１６と固定板４４は、前記化粧カバー部材６を嵌着して外覆するのである。
【００２１】
【発明の効果】
以上にしてなる本発明の椅子のスタッキングバンパー兼肘取付部カバーによれば、肘掛けを取付可能且つ肘掛けを外した状態でスタッキング可能な脚フレーム構造を有する椅子において、肘掛けを外した状態の肘取付部材にカバー部材を嵌着し、該カバー部材に一体成形したバンパー部を脚フレームの前脚杆又は後脚杆に外嵌することにより、肘取付部材の開口等を外覆して外観性の向上を図ることができるとともに、バンパー部によってスタッキング時における脚フレームの保護を図ることができ、同一の部材にカバー機能とバンパー機能を備えているので、部品点数の減少とコスト低減を図ることができる。また、肘掛けを取付ける場合には、バンパー機能を有するカバー部材を容易に取外すことができる。
【図面の簡単な説明】
【図１】本発明の第１実施形態を示す椅子の側面図である。
【図２】同じくスタッキング状態を示す側面図である。
【図３】本発明の要部を示し、カバー部材を肘取付部材に装着した状態の分解斜視図である。
【図４】カバー部材の詳細を示し、(a) は平面図、(b) は正面図、(c) は(a) のＡ−Ａ線断面図である。
【図５】化粧カバー部材の詳細を示し、(a) は正面図、(b) は背面図、(c) は(a) のＢ−Ｂ線断面図である。
【図６】脚フレームの肘取付部材と後脚杆にカバー部材を装着し且つ肘取付部材に化粧カバー部材を装着した状態を示し、(a) 横断面図、(b) は省略部分断面図である。
【図７】スタッキング状態の脚フレームの下部構造を一部破断して示した部分側面図である。
【図８】同じく横断面図である。
【図９】本発明の第２実施形態を示す椅子の側面図である。
【図１０】同じく要部の分解斜視図である。
【図１１】本発明の第３実施形態を示す椅子の側面図である。
【図１２】同じくスタッキング状態を示す側面図である。
【図１３】肘掛けを脚フレームの肘取付部材に取付けた状態の部分側面図である。
【図１４】同じく一部破断して示した部分正面図である。
【符号の説明】
１  脚フレーム            ２  座部
３  背凭れ部              ４  肘取付部材
５  カバー部材            ６  化粧カバー部材
７  胴部                  ８  前脚杆
９  後脚杆                １０  バンパー部
１１  上杆                １２  コーナー部材
１３  コーナー部材        １４  下杆
１５  連結杆              １６  取付板
１７  開口                １８  連結パイプ
１９  螺孔                ２０  通孔
２１  挿入部              ２２  鍔部
２３  保高部              ２４  化粧板
２５  表面板              ２６  切欠部
２７  縁板                ２８  補強リブ
２９  突起                ３０  係止片
３１  本体部              ３２  嵌合部
３３  嵌合部              ３４  当止部
３５  本体部              ３６  嵌合部
３７  嵌合部              ３８  当止部
３９  キャップ            ４０  キャップ
４１  肘掛け              ４２  肘掛け部
４３  支持杆              ４４  固定板
４５  ネジ
【図１】
0003642906.tif 000002
【図２】
0003642906.tif 000003
【図３】
0003642906.tif 000004
【図４】
0003642906.tif 000005
【図５】
0003642906.tif 000006
【図６】
0003642906.tif 000007
【図７】
0003642906.tif 000008
【図８】
0003642906.tif 000009
【図９】
0003642906.tif 000010
【図１０】
0003642906.tif 000011
【図１１】
0003642906.tif 000012
【図１２】
0003642906.tif 000013
【図１３】
0003642906.tif 000014
【図１４】
0003642906.tif 000015